(57)【要約】【課題】不特定多数の印刷ジョブをまとめて印刷することにより様々な印刷設定に対応する。【解決手段】複数の印刷データに含まれる各々の印刷ジョブ仕様データを取得する印刷ジョブ仕様データ取得手段１１と、各々の印刷ジョブ仕様データからまとめて印刷を行うか否かの判定を行うまとめ印刷判定手段１２と、利用可能な印刷装置を固定し、当該印刷装置に適切な印刷設定を固定印刷設定として保存する固定印刷設定保存手段２０と、固定印刷設定保存手段２０から、各々の印刷ジョブ仕様データに対応する固定印刷設定を取得する固定印刷設定取得手段１３と、印刷ジョブ仕様データから印刷ジョブ設定データを推論する際の推論の評価値を変更する推論変換手段１４と、印刷ジョブ仕様データから印刷ジョブ設定データを推論する推論手段１５とを有する。【選択図】図１
2008210322.tif 000002
【特許請求の範囲】
【請求項１】
印刷データに含まれる印刷ジョブ仕様データを取得する印刷ジョブ仕様データ取得手段
と、
前記印刷ジョブ仕様データからまとめて印刷を行うか否かの判定を行うまとめ印刷判定
手段と、
利用可能な印刷装置を固定し、当該印刷装置に適切な印刷設定を固定印刷設定として保
存する固定印刷設定保存手段と、
前記固定印刷設定保存手段から、前記印刷ジョブ仕様データに対応する固定印刷設定を
取得する固定印刷設定取得手段と、
前記印刷ジョブ仕様データから印刷ジョブ設定データを推論する際の推論の評価値を変
更する推論変換手段と、
前記印刷ジョブ仕様データから印刷ジョブ設定データを推論する推論手段と、
前記推論手段による推論結果により推論された印刷ジョブ設定データに従い、印刷を実
行する印刷実行手段と、
を有することを特徴とする印刷システム。
【請求項２】
前記まとめ印刷判定手段は、前記まとめて印刷を行うか否かの判定をする際に、まとめ
印刷のフラグに従って判定を行うことを特徴とする請求項１に記載の印刷システム。
【請求項３】
前記推論手段により推論された印刷ジョブ設定データと、当該印刷ジョブ設定データに
基づいて変換されたコンテンツデータと一時的に保存するスプール手段を有することを特
徴とする請求項１または２に記載の印刷システム。
【請求項４】
前記印刷実行手段による印刷のタイミングを設定可能とする印刷制御手段を有すること
を特徴とする請求項１〜３のいずれか１項に記載の印刷システム。
【請求項５】
前記印刷制御手段は、前記印刷実行手段による印刷時刻又は印刷時間を予め設定し、前
記印刷実行手段に対して前記印刷時刻又は印刷時間に印刷を実行させることを特徴とする
請求項４に記載の印刷システム。
【請求項６】
印刷データに含まれる印刷ジョブ仕様データを取得する印刷ジョブ仕様データ取得ステ
ップと、
前記印刷ジョブ仕様データからまとめて印刷を行うか否かの判定を行うまとめ印刷判定
ステップと、
利用可能な印刷装置を固定し、当該印刷装置に適切な印刷設定を固定印刷設定として保
存する固定印刷設定保存ステップと、
前記固定印刷設定保存ステップから、前記印刷ジョブ仕様データに対応する固定印刷設
定を取得する固定印刷設定取得ステップと、
前記印刷ジョブ仕様データから印刷ジョブ設定データを推論する際の推論の評価値を変
更する推論変換ステップと、
前記印刷ジョブ仕様データから印刷ジョブ設定データを推論する推論ステップと、
前記推論ステップによる推論結果により推論された印刷ジョブ設定データに従い、印刷
を実行する印刷実行ステップと、
を含むことを特徴とする印刷方法。
【請求項７】
印刷データに含まれる印刷ジョブ仕様データを取得する印刷ジョブ仕様データ取得ステ
ップ、
前記印刷ジョブ仕様データからまとめて印刷を行うか否かの判定を行うまとめ印刷判定
ステップ、
利用可能な印刷装置を固定し、当該印刷装置に適切な印刷設定を固定印刷設定として保
存する固定印刷設定保存ステップ、
前記固定印刷設定保存ステップから、前記印刷ジョブ仕様データに対応する固定印刷設
定を取得する固定印刷設定取得ステップ、
前記印刷ジョブ仕様データから印刷ジョブ設定データを推論する際の推論の評価値を変
更する推論変換ステップ、
前記印刷ジョブ仕様データから印刷ジョブ設定データを推論する推論ステップ、及び
前記推論ステップによる推論結果により推論された印刷ジョブ設定データに従い、印刷
を実行する印刷実行ステップとして実現される処理をコンピュータに実行させることを特
徴とする印刷プログラム。
【発明の詳細な説明】
【技術分野】
【０００１】
本発明は、不特定多数の複数の印刷ジョブをまとめて印刷する印刷システム、印刷方法
、印刷プログラムに関する。
【背景技術】
【０００２】
一般に、ページ記述言語（ＰＤＬ：Ｐａｇｅ  Ｄｅｓｃｒｉｐｔｉｏｎ  Ｌａｎｇｕａ
ｇｅ）による印刷データを印刷する際、印刷ジョブに関する情報を印刷ジョブ定義データ
（ＪＤＦ：Ｊｏｂ  Ｄｅｆｉｎｉｔｉｏｎ  Ｆｏｒｍａｔ）として扱い、この印刷ジョブ
定義データを印刷装置設定用の印刷ジョブ設定データに変換し、この印刷ジョブ設定デー
タを受け取ってから印刷を行う方法が知られている。
印刷ジョブ定義データは、印刷ジョブ仕様データを含み、この印刷ジョブ仕様データは
、印刷処理によって最終成果物として所望する印刷物の仕様が記載された情報を言う。従
って、この印刷ジョブ定義データを印刷装置用の設定データとしての印刷ジョブ設定デー
タに変換する必要がある。
【０００３】
この場合、制御コード（ＰＪＬ（Ｐｒｉｎｔｅｒ  Ｊｏｂ  Ｌａｎｇｕａｇｅ）など）
や、ページ記述言語（ＰＤＬ（Ｐａｇｅ  Ｄｅｓｃｒｉｐｔｉｏｎ  Ｌａｎｇｕａｇｅ）
）（代表的なものは、Ｐｏｓｔ  Ｓｃｒｉｐｔなど）等の手段により、印刷装置の設定が
可能になっているが、印刷ジョブ仕様データが複数の場合、まとめて印刷ジョブ設定デー
タに変換する場合がある。
【０００４】
このような印刷ジョブ設定データへの変換手段を有する発明として、特許文献１には、
複数部数の印刷を、少ないメモリで１部ずつまとめて行う装置であり、印刷データを受信
すると、その先頭にスプールコマンドが有るか判定し、有ればスプールコマンドの処理を
行い、なければその他のデータとして処理し、スプールコマンドとしての処理では、それ
に続く印刷データをスプール領域に移動し、その他の処理では、複数部の印刷を行ってい
る場合にはスプール領域からデータを読み出して指定された部数印刷し、そうでない場合
には受信バッファからデータを読み出して印刷出力する装置が記載されている。
【０００５】
また、特許文献２には、複数の文書ファイルから成る印刷データを印刷機へ転送して印
刷する際に、まとめて印刷すべき印刷データをグループ単位で印刷処理するために、ユー
ザＡのＰＣクライアントからグループＩＤとして「グループＡ」がファイルのヘッダー部
に付加された複数のファイルをプリンタに転送して、バッファ記憶部にスプーリングし、
また、ユーザＢのＰＣクライアントからグループＩＤが付加されていない報告書のファイ
ルを１つプリンタに転送して、バッファ記憶部にスプーリングし、ユーザＡの複数のファ
イルの間に、ユーザＢのファイルが紛れ込んでスプーリングされている場合でも、プリン
タが印刷処理を行う場合に、グループＩＤの確認を行い、同じグループＩＤを持ったファ
イルをまとめて印刷処理する方法が記載されている。
【０００６】
また、特許文献３では、従来、複数の資料をまとめて指定時刻に印刷する場合、印刷装
置によって性能が異なるため、いつまでに資料を集めて印刷を開始すればよいかわからな
いため、データ保存機能をもつ印刷装置内において、ある特定の場所に保存された複数の
資料を指定された時刻に間に合うようにマージ・加工する手段と指定された時刻までに印
刷可能な分量を表示する手段と指定された時刻に印刷が間に合わなかった資料に資料の使
用目的を明記した表紙を付加して印刷する手段とを有するデータ管理・印刷システムを提
案している。
【０００７】
また、特許文献４には、長い節電時間が確保できるだけでなく、必要な印刷物を必要と
するときにまとめて得ることができる印刷装置を提供するもので、節電モード中、印刷ジ
ョブを受信すると、受信した印刷データから画像データを生成してページメモリ１６等に
記憶し、受信した印刷ジョブを表示する処理を繰り返して、画像データをページメモリ等
に蓄積する。節電解除コマンドが入力されれば、ＩＯＴ（Ｉｍａｇｅ  Ｏｕｔｐｕｔ  Ｔ
ｅｒｍｉｎａｌ）部に通常の電力供給を開始して復帰処理を行い、優先処理された印刷ジ
ョブがあれば、指定された印刷ジョブの画像データをまとめて印刷する装置が記載されて
いる。
【特許文献１】特開平１０−２２２３１９号公報
【特許文献２】特開平１１−５５４９６号公報
【特許文献３】特開２００６−１７１８６２号公報
【特許文献４】特開２００４−２８４２８１号公報
【発明の開示】
【発明が解決しようとする課題】
【０００８】
しかしながら、特許文献１記載の発明は、スプールコマンドの信号によってデータをマ
ージするものであるが、スプールのみでは、様々な印刷設定に対応できないという問題が
あった。
また、特許文献２記載の発明では、ユーザごとにまとめて印刷するので、ユーザ毎のス
プールのみでは、様々な印刷設定に対応できないという問題があった。
また、特許文献３記載の発明では、指定時刻に合わせるのみで、印刷するもので、様々
な印刷設定に対応できないという問題があった。
【０００９】
また、特許文献４記載の発明では、様々な印刷仕様に応じた「まとめ印刷」ができない
という問題があった。その理由は、印刷ジョブ仕様データから自動的に判断し、印刷ジョ
ブ仕様データ変換テーブルに応じてまとめて印刷した場合、プリンタの設定を固定してい
るので、印刷できない印刷データが多く存在してしまうからである。
本発明は、上述した事情を鑑みてなされたものであって、変換テーブルを用いて印刷ジ
ョブ仕様データを推論前に変換して、不特定多数の印刷ジョブをまとめて印刷することに
より様々な印刷設定に対応できる印刷システム、印刷方法、印刷プログラムを提供するこ
とを目的としている。
【課題を解決するための手段】
【００１０】
〔形態１〕  上記目的を達成するために、形態１の印刷システムは、
印刷データに含まれる印刷ジョブ仕様データを取得する印刷ジョブ仕様データ取得手段
と、
前記印刷ジョブ仕様データからまとめて印刷を行うか否かの判定を行うまとめ印刷判定
手段と、
利用可能な印刷装置を固定し、当該印刷装置に適切な印刷設定を固定印刷設定として保
存する固定印刷設定保存手段と、
前記固定印刷設定保存手段から、前記印刷ジョブ仕様データに対応する固定印刷設定を
取得する固定印刷設定取得手段と、
前記印刷ジョブ仕様データから印刷ジョブ設定データを推論する際の推論の評価値を変
更する推論変換手段と、
前記印刷ジョブ仕様データから印刷ジョブ設定データを推論する推論手段と、
前記推論手段による推論結果により推論された印刷ジョブ設定データに従い、印刷を実
行する印刷実行手段とを有することを特徴とする。
【００１１】
この構成によれば、印刷ジョブ仕様データ取得手段により印刷データに含まれる各々の
印刷ジョブ仕様データを取得すると、まとめ印刷判定手段により前記各々の印刷ジョブ仕
様データからまとめて印刷を行うか否かの判定を行い、固定印刷設定保存手段により利用
可能な印刷装置を固定しておき、当該印刷装置に適切な印刷設定を固定印刷設定として保
存し、固定印刷設定取得手段により前記固定印刷設定保存手段から、前記各々の印刷ジョ
ブ仕様データに対応する固定印刷設定を取得し、推論変換手段により前記印刷ジョブ仕様
データから印刷ジョブ設定データを推論する際の推論の評価値を変更した後、推論手段に
より前記印刷ジョブ仕様データから印刷ジョブ設定データを推論し、印刷実行手段により
、前記推論手段による推論結果により推論された印刷ジョブ設定データに従い、印刷を実
行するので、推論内のパラメータを固定された印刷設定に合わせて調整または変換するこ
とができ、従って、あるプリンタの印刷設定を固定して、まとめ印刷を行いたい場合にお
いて、印刷設定が固定されたプリンタで、様々な印刷設定がつけられた印刷データをまと
めて印刷することが可能になり、これにより、様々な印刷設定が設定された印刷データを
適切にまとめた「まとめ印刷」を実現することができるという効果が得られる。
なお、「印刷ジョブ仕様データ」とは、印刷処理によって最終成果物として所望する印
刷物の仕様が記載されたデータを言う。具体的には、例えば、仕上がり用紙サイズ、印刷
媒体の種類、折り方および断裁方法、綴じ位置、綴じ方、印刷部数、両面印刷方法、印刷
対象となる文書データおよびページ、並びに使用するインクに関する情報が含まれる。
【００１２】
〔形態２〕  形態２の発明は、形態１の印刷システムに係り、
前記まとめ印刷判定手段は、前記まとめて印刷を行うか否かの判定をする際に、まとめ
印刷のフラグに従って判定を行うことを特徴とする。
この構成によれば、前記まとめ印刷判定手段は、前記まとめて印刷を行うか否かの判定
をする際に、まとめ印刷のフラグに従って判定を行うので、まとめて印刷を行うか否かの
基準ができ、また、状況に応じてその基準を変更することができ、従って、客観的にまと
め印刷の判定を行うことができるという効果が得られる。
【００１３】
〔形態３〕  形態３の発明は、形態１または２の印刷システムに係り、
前記推論手段により推論された印刷ジョブ設定データと、当該印刷ジョブ設定データに
基づいて変換されたコンテンツデータとを一時的に保存するスプール手段を有することを
特徴とする。
この構成によれば、スプール手段により一時的に保存していた印刷ジョブ設定データと
コンテンツデータとを所望のときに取り出して所望のまとめ印刷を行うことができるとい
う効果が得られる。
【００１４】
〔形態４〕  形態４の発明は、形態１〜３のいずれか１の印刷システムに係り、
前記印刷実行手段による印刷のタイミングを設定可能とする印刷制御手段を有すること
を特徴とする。
この構成によれば、印刷制御手段により前記印刷実行手段による印刷のタイミングを設
定可能となるので、変換後のコンテンツデータの印刷タイミングを調整して、適切なまと
め印刷を実現することができるという効果が得られる。
【００１５】
〔形態５〕  形態５の発明は、形態４の印刷システムに係り、
前記印刷制御手段は、前記印刷実行手段による印刷時刻又は印刷時間を予め設定し、前
記印刷実行手段に対して前記印刷時刻又は印刷時間に印刷を実行させることを特徴とする
。
この構成によれば、印刷制御手段は、時間、時刻に基づいて種々に印刷タイミングを設
定して制御することができるので、より適切なまとめ印刷を実現できるという効果が得ら
れる。なお、時間、時刻に限定されることなく、その他、スプール数，ユーザの種類，又
は出力するページ数などに応じて様々な印刷タイミングを設定することができる。
【００１６】
〔形態６〕  形態６の印刷方法は、
印刷データに含まれる印刷ジョブ仕様データを取得する印刷ジョブ仕様データ取得ステ
ップと、
前記印刷ジョブ仕様データからまとめて印刷を行うか否かの判定を行うまとめ印刷判定
ステップと、
利用可能な印刷装置を固定し、当該印刷装置に適切な印刷設定を固定印刷設定として保
存する固定印刷設定保存ステップと、
前記固定印刷設定保存ステップから、前記印刷ジョブ仕様データに対応する固定印刷設
定を取得する固定印刷設定取得ステップと、
前記印刷ジョブ仕様データから印刷ジョブ設定データを推論する際の推論の評価値を変
更する推論変換ステップと、
前記印刷ジョブ仕様データから印刷ジョブ設定データを推論する推論ステップと、
前記推論ステップによる推論結果により推論された印刷ジョブ設定データに従い、印刷
を実行する印刷実行ステップとを含むことを特徴とする。
【００１７】
この構成によれば、印刷ジョブ仕様データ取得ステップにより印刷データに含まれる印
刷ジョブ仕様データを取得すると、まとめ印刷判定ステップにより前記印刷ジョブ仕様デ
ータからまとめて印刷を行うか否かの判定を行い、固定印刷設定保存ステップにより利用
可能な印刷装置を固定しておき、当該印刷装置に適切な印刷設定を固定印刷設定として保
存し、固定印刷設定取得ステップにより前記固定印刷設定保存ステップから、前記印刷ジ
ョブ仕様データに対応する固定印刷設定を取得し、推論変換ステップにより前記印刷ジョ
ブ仕様データから印刷ジョブ設定データを推論する際の推論の評価値を変更した後、推論
ステップにより前記印刷ジョブ仕様データから印刷ジョブ設定データを推論し、印刷実行
ステップにより、前記推論ステップによる推論結果により推論された印刷ジョブ設定デー
タに従い、印刷を実行するので、推論内のパラメータを固定された印刷設定に合わせて調
整または変換することができ、従って、あるプリンタの印刷設定を固定して、まとめ印刷
を行いたい場合において、印刷設定が固定されたプリンタで、様々な印刷設定がつけられ
た印刷データをまとめて印刷することが可能になり、これにより、様々な印刷設定が設定
された印刷データを適切にまとめた「まとめ印刷」を実現することができるという効果が
得られる。
【００１８】
〔形態７〕  形態７の発明は、形態６の印刷方法に係り、
前記まとめ印刷判定ステップは、前記まとめて印刷を行うか否かの判定をする際に、ま
とめ印刷のフラグに従って判定を行うことを特徴とする。
この構成によれば、前記まとめ印刷判定ステップは、前記まとめて印刷を行うか否かの
判定をする際に、まとめ印刷のフラグに従って判定を行うので、まとめて印刷を行うか否
かの基準ができ、また、状況に応じてその基準を変更することができ、従って、客観的に
まとめ印刷の判定を行うことができるという効果が得られる。
【００１９】
〔形態８〕  形態８の発明は、形態６または７の印刷方法に係り、
前記推論ステップにより推論された印刷ジョブ設定データと、当該印刷ジョブ設定デー
タに基づいて変換されたコンテンツデータとを一時的に保存するスプールステップをさら
に含むことを特徴とする。
この構成によれば、スプールステップにより一時的に保存していた印刷ジョブ設定デー
タとコンテンツデータとを所望のときに取り出して所望のまとめ印刷を行うことができる
という効果が得られる。
【００２０】
〔形態９〕  形態９の発明は、形態６〜８のいずれか１の印刷方法に係り、
前記印刷実行ステップによる印刷のタイミングを設定可能とする印刷制御ステップをさ
らに含むことを特徴とする。
この構成によれば、印刷制御ステップにより前記印刷実行ステップによる印刷のタイミ
ングを設定可能となるので、変換後のコンテンツデータの印刷タイミングを調整して、適
切なまとめ印刷を実現することができるという効果が得られる。
【００２１】
〔形態１０〕  形態１０の発明は、形態９の印刷方法に係り、
前記印刷制御ステップは、前記印刷実行ステップによる印刷時刻又は印刷時間を予め設
定し、前記印刷実行ステップに対して前記印刷時刻又は印刷時間に印刷を実行させること
を特徴とする。
この構成によれば、印刷制御ステップは、時間、時刻に基づいて種々に印刷タイミング
を設定して制御することができるので、より適切なまとめ印刷を実現できるという効果が
得られる。なお、時間、時刻に限定されることなく、その他、スプール数，ユーザの種類
，又は出力するページ数などに応じて様々な印刷タイミングを設定することができる。
【００２２】
〔形態１１〕  形態１１の印刷プログラムは、
印刷データに含まれる各々の印刷ジョブ仕様データを取得する印刷ジョブ仕様データ取
得ステップ、
前記各々の印刷ジョブ仕様データからまとめて印刷を行うか否かの判定を行うまとめ印
刷判定ステップ、
利用可能な印刷装置を固定し、当該印刷装置に適切な印刷設定を固定印刷設定として保
存する固定印刷設定保存ステップ、
前記固定印刷設定保存ステップから、前記印刷ジョブ仕様データに対応する固定印刷設
定を取得する固定印刷設定取得ステップ、
前記印刷ジョブ仕様データから印刷ジョブ設定データを推論する際の推論の評価値を変
更する推論変換ステップ、
前記印刷ジョブ仕様データから印刷ジョブ設定データを推論する推論ステップ、及び
前記推論ステップによる推論結果により推論された印刷ジョブ設定データに従い、印刷
を実行する印刷実行ステップとして実現される処理をコンピュータに実行させることを特
徴とする。
【００２３】
この構成によれば、印刷ジョブ仕様データ取得ステップにより印刷データに含まれる印
刷ジョブ仕様データを取得すると、まとめ印刷判定ステップにより前記印刷ジョブ仕様デ
ータからまとめて印刷を行うか否かの判定を行い、固定印刷設定保存ステップにより利用
可能な印刷装置を固定しておき、当該印刷装置に適切な印刷設定を固定印刷設定として保
存し、固定印刷設定取得ステップにより前記固定印刷設定保存ステップから、前記印刷ジ
ョブ仕様データに対応する固定印刷設定を取得し、推論変換ステップにより前記印刷ジョ
ブ仕様データから印刷ジョブ設定データを推論する際の推論の評価値を変更した後、推論
ステップにより前記印刷ジョブ仕様データから印刷ジョブ設定データを推論し、印刷実行
ステップにより、前記推論ステップによる推論結果により推論された印刷ジョブ設定デー
タに従い、印刷を実行するので、推論内のパラメータを固定された印刷設定に合わせて調
整または変換することができ、従って、あるプリンタの印刷設定を固定して、まとめ印刷
を行いたい場合において、印刷設定が固定されたプリンタで、様々な印刷設定がつけられ
た印刷データをまとめて印刷することが可能になり、これにより、様々な印刷設定が設定
された印刷データを適切にまとめた「まとめ印刷」を実現することができるという効果が
得られる。
【００２４】
〔形態１２〕  形態１２の発明は、形態１１の印刷プログラムに係り、
前記まとめ印刷判定ステップは、前記まとめて印刷を行うか否かの判定をする際に、ま
とめ印刷のフラグに従って判定を行うことを特徴とする。
この構成によれば、前記まとめ印刷判定ステップは、前記まとめて印刷を行うか否かの
判定をする際に、まとめ印刷のフラグに従って判定を行うので、まとめて印刷を行うか否
かの基準ができ、また、状況に応じてその基準を変更することができ、従って、客観的に
まとめ印刷の判定を行うことができるという効果が得られる。
【００２５】
〔形態１３〕  形態１３の発明は、形態１１または１２の印刷プログラムに係り、
前記推論ステップにより推論された印刷ジョブ設定データと、当該印刷ジョブ設定デー
タに基づいて変換されたコンテンツデータとを一時的に保存するスプールステップをさら
に含むことを特徴とする。
この構成によれば、スプールステップにより一時的に保存していた印刷ジョブ設定デー
タとコンテンツデータとを所望のときに取り出して所望のまとめ印刷を行うことができる
という効果が得られる。
【００２６】
〔形態１４〕  形態１４の発明は、形態１１〜１３のいずれか１の印刷プログラムに係
り、
前記印刷実行ステップによる印刷のタイミングを設定可能とする印刷制御ステップをさ
らに含むことを特徴とする。
この構成によれば、印刷制御ステップにより前記印刷実行ステップによる印刷のタイミ
ングを設定可能となるので、変換後のコンテンツデータの印刷タイミングを調整して、適
切なまとめ印刷を実現することができるという効果が得られる。
【００２７】
〔形態１５〕  形態１５の発明は、形態１４の印刷プログラムに係り、
前記印刷制御ステップは、前記印刷実行ステップによる印刷時刻又は印刷時間を予め設
定し、前記印刷実行ステップに対して前記印刷時刻又は印刷時間に印刷を実行させること
を特徴とする。
この構成によれば、印刷制御ステップは、時間、時刻に基づいて種々に印刷タイミング
を設定して制御することができるので、より適切なまとめ印刷を実現できるという効果が
得られる。なお、時間、時刻に限定されることなく、その他、スプール数，ユーザの種類
，又は出力するページ数などに応じて様々な印刷タイミングを設定することができるとい
う効果が得られる。
【発明を実施するための最良の形態】
【００２８】
以下、図面を参照して、本発明の実施形態に係る印刷システムについて詳細に説明する
。なお、この印刷システムの各部をそれぞれ別個の装置に配置し、これらの装置を統合し
て１つの印刷システムとして機能させることもできるし、１つの装置内にこの印刷システ
ムの各部が配置された印刷装置として機能させることもできるし、あるいは、印刷を実行
する機能のみを他の装置が行うことにより印刷支援システム、印刷支援装置として機能さ
せることもできる。
【００２９】
［第１実施形態］
まず、本発明の第１実施形態に係る印刷システムについて説明する。
図１は、本発明の実施形態に係る印刷システムの構成を示すブロック図である。
この印刷システム１は、印刷ジョブ仕様データ取得手段１１と、まとめ印刷判定手段１
２と、固定印刷設定取得手段１３と、推論変換手段１４と、推論手段１５と、スプール手
段１６と、印刷制御手段１７と、印刷実行手段１８と、印刷モード設定手段１９と、固定
印刷設定保存手段２０と、推論ルール２１とを備える。
【００３０】
印刷ジョブ仕様データ取得手段１１は、印刷データに含まれる印刷ジョブ仕様データを
抽出して取得する。なお、本実施形態及び以下の実施形態において、本発明が対象とする
印刷データは不特定多数のもので、印刷ジョブ仕様データも、この複数の印刷データの各
々に含まれるので、複数の印刷ジョブ仕様データを前提としている。なお、印刷ジョブ仕
様データとしては、用紙サイズ、面付け、インク種別、後工程情報などが含まれる。
【００３１】
まとめ印刷判定手段１２は、複数の印刷ジョブ仕様データのまとめ印刷が可能か否かを
判定する。具体的には、まとめ印刷可能か否かのフラグ（まとめ印刷用フラグ）を用意し
、取得した印刷ジョブ仕様データのまとめ印刷のデータをチェックし、まとめ印刷を実行
するか否かを判定する。まとめ印刷を実行する場合は、次の動作に移行し、まとめ印刷を
実行しない場合は、推論手段を動作させ、すぐに印刷を行う。このように、まとめ印刷判
定手段１２は、印刷ジョブ仕様データに記述された印刷情報に基づいて、まとめて印刷す
ることが可能か否かを判定するので、まとめて印刷できない場合においても、個別に印刷
を行うことができるし、あるいは、印刷そのものを中止することができ、無駄な印刷を省
くことができる。
【００３２】
固定印刷設定取得手段１３は、印刷装置の固定された印刷モードを取得する。具体的に
は、固定印刷設定保存手段２０から印刷ジョブ仕様データに記述されているグループＩＤ
に対応した固定印刷設定を取得する。そして、まとめ印刷判定手段１２でまとめ印刷が可
能と判定された場合、固定印刷設定取得手段１３で取得した印刷モードと印刷ジョブ仕様
データ取得手段１１で取得した複数の印刷ジョブ仕様データを推論変換手段１４に送る。
【００３３】
推論変換手段１４は、推論ルールの評価値を固定印刷設定に合わせて変更する。例えば
、現在、中綴じで左とめである場合、この条件を満たさない印刷設定の仕様満足の可否欄
（評価値）を変更する。
推論手段１５は、推論ルール２１を参照して、印刷ジョブ仕様データまたはまとめ印刷
用印刷ジョブ仕様データを印刷ジョブ設定データに変換する。推論ルール２１は、条件節
と結果節とからなり、必要に応じて推論手段１５の参照用に供される。
スプール手段１６は、コンテンツデータ変換手段１５にて変換された変換後のコンテン
ツデータ、及び推論変換手段１４にて推論変換された印刷ジョブ設定データを一時的に保
存する。
【００３４】
印刷制御手段１７は、スプール手段１６にて保存されている変換後のコンテンツデータ
の印刷実行のタイミングを制御する。その際、印刷タイミングを、時刻，時間，スプール
数，ユーザの種類，又は出力するページ数の少なくとも一つに基づいて設定するようにす
れば、指定時間、指定インターバル、指定スプール数、指定ユーザ数、指定ユーザの種類
、出力する指定ページ数などに応じて印刷を実行することができ、適切なまとめ印刷を行
うことができる。
印刷実行手段１８は、印刷制御手段１７の指示により実際に変換後のコンテンツデータ
の印刷を実行する機能を有する。
【００３５】
上記構成により、印刷ジョブ仕様データ取得手段１１により複数の印刷データに含まれ
る各々の印刷ジョブ仕様データを取得すると、まとめ印刷判定手段１２により各々の印刷
ジョブ仕様データからまとめて印刷を行うか否かの判定を行い、固定印刷設定保存手段１
３により利用可能な印刷装置を固定しておき、当該印刷装置に適切な印刷設定を固定印刷
設定として保存し、固定印刷設定取得手段１３により固定印刷設定保存手段２０から、各
々の印刷ジョブ仕様データに対応する固定印刷設定を取得し、推論変換手段１４により印
刷ジョブ仕様データから印刷ジョブ設定データを推論する際の推論の評価値を変更した後
、推論手段１５により印刷ジョブ仕様データから印刷ジョブ設定データを推論し、スプー
ル手段１６により推論された印刷ジョブ設定データを一時的に保存し、印刷実行手段１８
により、スプール手段１６により保存されている印刷ジョブ設定データに従い、印刷を実
行するので、推論内のパラメータを固定された印刷設定に合わせて調整または変換するこ
とができ、従って、あるプリンタの印刷設定を固定して、まとめ印刷を行いたい場合にお
いて、印刷設定が固定されたプリンタで、様々な印刷設定がつけられた印刷データをまと
めて印刷することが可能になり、これにより、様々な印刷設定が設定された複数の印刷デ
ータを適切にまとめた「まとめ印刷」を実現することができる。
【００３６】
図２は、コンピュータシステムのハードウェア構成を示す機能ブロック図である。
ここで、この印刷システム１は、印刷ジョブ仕様データ取得手段１１、まとめ印刷判定
手段１２、固定印刷設定取得手段１３、推論変換手段１４、推論手段１５、スプール手段
１６、印刷制御手段１７、印刷実行手段１８などをソフトウェア上で実現するためのコン
ピュータシステムを備えており、そのハードウェア構成は、図２に示すように、各種制御
や演算処理を担う中央演算処理装置であるＣＰＵ（Ｃｅｎｔｒａｌ  Ｐｒｏｃｅｓｓｉｎ
ｇ  Ｕｎｉｔ）６０と、主記憶装置（Ｍａｉｎ  Ｓｔｏｒａｇｅ）を構成するＲＡＭ（Ｒ
ａｎｄｏｍ  Ａｃｃｅｓｓ  Ｍｅｍｏｒｙ）６２と、読み出し専用の記憶装置であるＲＯ
Ｍ（Ｒｅａｄ  Ｏｎｌｙ  Ｍｅｍｏｒｙ）６４との間をＰＣＩ（Ｐｅｒｉｐｈｅｒａｌ  
Ｃｏｍｐｏｎｅｎｔ  Ｉｎｔｅｒｃｏｎｎｅｃｔ）バスやＩＳＡ（Ｉｎｄｕｓｔｒｉａｌ
Ｓｔａｎｄａｒｄ  Ａｒｃｈｉｔｅｃｔｕｒｅ）バス等からなる各種内外バス６８で接
続すると共に、このバス６８に入出力インターフェース（Ｉ／Ｆ）６６を介して、ＨＤＤ
（Ｈａｒｄ  Ｄｉｓｋ  Ｄｒｉｖｅ）などの外部記憶装置（Ｓｅｃｏｎｄａｒｙ  Ｓｔｏ
ｒａｇｅ）７０や、印刷手段やＣＲＴ、ＬＣＤモニター等の出力装置７２、操作パネルや
マウス、キーボード、スキャナなどの入力装置７４、および図示しない印刷指示装置など
と通信するためのネットワークＬなどを接続したものである。
【００３７】
そして、電源を投入すると、ＲＯＭ６４等に記憶されたＢＩＯＳ等のシステムプログラ
ムが、ＲＯＭ６４に予め記憶された各種専用のコンピュータプログラム、あるいは、ＣＤ
−ＲＯＭやＤＶＤ−ＲＯＭ、フレキシブルディスク（ＦＤ）などの記憶媒体を介して、ま
たはインターネットなどの通信ネットワークＬを介して記憶装置７０にインストールされ
た各種専用のコンピュータプログラムを同じくＲＡＭ６２にロードし、そのＲＡＭ６２に
ロードされたプログラムに記述された命令に従ってＣＰＵ６０が各種リソースを駆使して
所定の制御および演算処理を行うことで前述したような各手段の各機能をソフトウェア上
で実現できるようになっている。
【００３８】
図３は、本実施形態に係る印刷ジョブ仕様データの一例を示す図である。
印刷データは、印刷用のコンテンツデータと、印刷ジョブ定義データとから構成される
。本実施形態においては、印刷ジョブ定義データとして印刷ジョブ仕様データのみが含ま
れ、従って、印刷データの中には、「コンテンツデータ」と「印刷ジョブ仕様データ」と
が含まれているものとする。
【００３９】
コンテンツデータは、印刷ジョブ仕様データに関連付けられた文書データであり、印刷
仕様に基づいた印刷処理の対象となる電子的な文書をいう。関連付けの方法は、印刷ジョ
ブ仕様データの中に直接文書データが埋め込まれても良いし、印刷ジョブ仕様データにＵ
ＲＬ（Ｕｎｉｆｏｒｍ  Ｒｅｓｏｕｒｃｅ  Ｌｏｃａｔｏｒ）やファイルパス等の文書デ
ータの所在のみが記載されても良い。また、印刷ジョブ仕様データに複数の文書データが
関連つけられても良い。
【００４０】
印刷ジョブ仕様データは、印刷処理によって最終成果物として所望する印刷物の仕様が
記載された情報をいう。具体的には、仕上がり用紙サイズ、印刷媒体の種類、折り方およ
び断裁方法、綴じ位置、綴じ方、印刷部数、両面印刷方法、印刷対象となる文書データ及
びページ、並びに使用するインクに関する情報も含まれる。印刷ジョブ設定データは、最
終成果物の仕様のみ記述すればよく、従って、何らかの形で印刷ジョブ設定データからそ
の仕様を満たすような印刷ジョブ設定データに変換を行う必要がある。
【００４１】
例えば、図３に示す印刷ジョブ仕様データは、含まれる印刷データのＩＤ番号として、
００１、００２、００３、００４、００５の５種類あり、それぞれに対して、「仕上がり
用紙サイズ」、「用紙種別」、「カラー」、「片面／両面」、「綴じ位置」、「綴じ種別
」、「まとめ印刷の可否」、「グループＩＤ」が掲載されている。本実施形態では、特に
、まとめ印刷可能かのフラグ（まとめ印刷フラグ）も含むものとし、まとめ印刷可能フラ
グを含む場合は、まとめ印刷を実行するものとする。また、印刷ジョブ仕様データに対応
する印刷データのグループＩＤを掲載している。
【００４２】
まず、ＩＤ番号００１については、仕上がり用紙サイズは「Ａ４ポートレート」、用紙
種別は「普通紙」、カラー／モノクロは「カラー」、片面／両面は「両面」、綴じ位置は
「左」、綴じ種別は「中」、まとめ印刷は「可」、グループＩＤは「ＧｒｏｕｐＡ」とい
う印刷データである。ＩＤ番号００２については、仕上がり用紙サイズは「Ａ３」、用紙
種別は「普通紙」、カラー／モノクロは「カラー」、片面／両面は「片面」、綴じ位置、
綴じ種別は記述なし、まとめ印刷は「可」、グループＩＤは「ＧｒｏｕｐＢ」という印刷
データである。ＩＤ番号００３については、仕上がり用紙サイズは「Ａ４ポートレート」
、用紙種別は「マット紙」、カラー／モノクロは「モノクロ」、片面／両面は「両面」、
綴じ位置は「左」、綴じ種別は「中」、まとめ印刷は「可」、グループＩＤは「Ｇｒｏｕ
ｐＡ」という印刷データである。ＩＤ番号００４については、仕上がり用紙サイズは「Ａ
４ノビ」、用紙種別は「コート紙」、カラー／モノクロは「カラー」、片面／両面は「両
面」、綴じ位置は「左」、綴じ種別は「中」、まとめ印刷は「可」、グループＩＤは「Ｇ
ｒｏｕｐＢ」という印刷データである。ＩＤ番号００５については、仕上がり用紙サイズ
は「Ａ３ノビ」、用紙種別は「光沢紙」、カラー／モノクロは「カラー」、片面／両面は
「両面」、綴じ位置は「左」、綴じ種別は「中」、まとめ印刷は「不可」、グループＩＤ
は「環境」というデータである。
また、印刷ジョブ設定データには、以上のような項目以外にも、面付け、インク種別、
後工程情報など種々の情報を含む。
【００４３】
図４は、固定印刷設定保存手段に保存されるデータの一例を示す図である。
固定印刷設定保存手段２０には、図４に示すように、印刷データＩＤ００１、００２、
００３の３種類に対して、それぞれ、グループＩＤ、必須印刷条件、印刷装置名が保存さ
れている。
例えば、印刷データＩＤ００１のグループＩＤは「ＧｒｏｕｐＡ」、必須印刷条件は「
綴じ種別、中綴じ、綴じ位置、左」、印刷装置名は「プリンタ１」というデータが保存さ
れ、印刷データＩＤ００２のグループＩＤは「ＧｒｏｕｐＢ」、必須印刷条件は「カラー
」、印刷装置名は「プリンタ２」というデータが保存され、印刷データＩＤ００３のグル
ープＩＤは「環境」、必須印刷条件は「両面、用紙種別、再生紙」、印刷装置名は「プリ
ンタ１」というデータが保存されている。
【００４４】
図５は、推論ルールの一例を示す図である。（ａ）は色、（ｂ）は面付けについての推
論ルールである。
推論手段１５は、印刷ジョブ仕様データを印刷ジョブ設定データに変換するための推論
ルール２１を格納し、必要に応じて推論手段１５の参照用に供される。このルールは、条
件節と実行節（結果節）とで構成されている。
【００４５】
条件節には、印刷ジョブ仕様データによる印刷設定の条件が記述され、実行節には、印
刷仕様が条件節の条件を満足する場合に候補として採用する印刷ジョブ設定データによる
印刷設定、及びコンテンツデータ（文書データ）の加工が必要な場合におけるその加工方
法が記述された実行節とからなり、例えば、ＸＭＬ等のマークアップ言語により記述する
ことができる。図５（ａ）の例では、カラーが「ＣＭＹＫ」である条件が条件節として、
カラーを「ＣＭＹＫ」に設定する印刷設定が実行節に記述されている。
【００４６】
また、実行節には、図５（ｂ）に示すように、条件節の条件として設定された印刷仕様
を完全に実現する印刷設定と、条件節の条件として設定された印刷仕様を一部実現する印
刷設定とを記述することができる。実行節では、印刷仕様を完全に実現する印刷設定につ
いては「仕様満足の可否」の項目に「○（真）」を、印刷仕様を一部実現する印刷設定に
ついては「仕様満足の可否」の項目に「×（偽）」をそれぞれ設定する。図５（ｂ）の例
では。綴じ種類、綴じ位置、両面印刷及び仕上げ用紙サイズが「中綴じ」、「左」、「両
面」及び「Ａ４ポートレート」である条件が条件節として、綴じ種類、綴じ位置、両面印
刷、給紙用紙サイズ及び紙の折り方が「中綴じ」、「左」、「両面（Ｙ軸でフリップ）」
、「Ａ３ランドスケープ」及び「Ｆ４−１」となる印刷設定が、条件節の印刷仕様を完全
に実現する第１印刷設定として、「平綴じ」、「左」、「両面（Ｙ軸でフリップ）」及び
「Ａ４ポートレート」となる印刷設定が、条件節の印刷仕様を一部実現する第２印刷設定
としてそれぞれ記述されている。また、第１印刷設定に「対応する加工方法として、折り
方「Ｆ４−１」に従って、「２面付け」が記述されている。第２印刷設定は、給紙用紙サ
イズが「Ａ４ポートレート」であるために、綴じ種類が「平綴じ」となり、条件節の印刷
仕様である「中綴じ」を実現できない。従って、第１印刷設定の仕様満足は「０」、第２
印刷設定の仕様満足は「×」となっている。
【００４７】
図６は、折り方の設定例を示す図である。
「Ｆ４−１」は、図５に示すように、印刷用紙の両面にそれぞれ２ページずつ割り付け
た場合の折り方であり、印刷用紙を左右方向に半分折り曲げることを示している。
「Ｆ８−１」は、印刷用紙の両面にそれぞれ４ページずつ割り付けた場合の折り方であ
り、印刷用紙を左右方向に半分折り曲げ、さらに十下方向に半分折り曲げることを示して
いる。
【００４８】
「Ｆ１６−１」は、印刷用紙の両面にそれぞれ８ページずつ割り付けた場合の折り方で
あり、印刷用紙を左右方向に半分折り曲げ、さらに上下方向に半分折り曲げることを示し
ている。
また、「両面（Ｙ軸でフリップ）」とは、印刷用紙のＹ軸でページめくりするように、
両面印刷することを意味している。一方、両面印刷（Ｘ軸でフリップ）の場合は印刷用紙
のＸ軸でページめくりするように両面印刷をすることを意味する。
「Ｆ４−１」、「Ｆ１６−１」、及び「Ｆ１６−４」はいずれも、用紙の折り方を否定
する固有の識別子である。
【００４９】
図７は、印刷ジョブ設定データのデータ構造を示す図である。
印刷ジョブ設定データは、印刷を実行する印刷装置を制御するために印刷装置の詳細な
印刷設定が記述された電子データであって、同図に示すように、所定の開始タグ（例えば
、＜全体設定＞）と終了タグ（例えば、＜／全体設定＞）との間に、開始タグと終了タグ
とのタグセットを入れ子状に記述することにより印刷設定を作成する。例えば、ＸＭＬ等
のマークアップ言語により記述することができる。
印刷ジョブ設定データは、印刷ジョブ仕様データの内容をそのまま引き継ぐ箇所もある
が、印刷装置固有の設定情報が含まれることが多い。例えば、部単位印刷、給紙トレイの
設定、排紙トレイの設定、節約モードなどである。この印刷ジョブ設定データを印刷装置
に入力することによって印刷装置を制御することができる。
【００５０】
図８は、印刷設定候補の一覧を示す図である。
印刷仕様を満足する条件の条件設定情報として、図８に示す内容の２つの条件設定情報
が索出されたとする。この場合、印刷設定候補は、カラーについて取得された印刷設定と
、綴じ種類等について取得された印刷設定を総当りで組み合わせたものからなるので、１
×２＝２つとなる。
例えば、印刷仕様を満足する条件の条件設定候補として、カラーについて取得された印
刷設定と、綴じ種類等について取得された印刷設定を総当りで組み合わせたものからなる
場合、印刷設定候補は以下の２つとなる。
【００５１】
印刷設定候補１は、「カラー、綴じ種類、綴じ位置、両面印刷、総合用紙サイズおよび
折り方法」の６つの項目からなる場合、その内容は、「ＣＭＹＫ」、「中綴じ」、「左」
、「両面（Ｙ軸でフリップ）」、「Ａ３ランドスケープ」および「Ｆ４−１」となる。
印刷設定候補２は、「カラー、綴じ種類、綴じ位置、両面印刷および総合用紙サイズ」
の５つの項目からなる場合、その内容は、「ＣＭＹＫ」、「平綴じ」、「左」、「両面（
Ｙ軸でフリップ）」、「Ａ４ポートレート」となる。
【００５２】
印刷設定候補１は、図８に示すように、カラー、綴じ種類、綴じ位置、両面印刷、給紙
用紙サイズ及び折り方法の６つの項目からなり、その内容は、「ＣＭＹＫ」、「中綴じ」
、「左」、「両面（Ｙ軸でフリップ）」、「Ａ３ランドスケープ」および「Ｆ４−１」と
なる。
印刷設定項目２は、カラー、綴じ種類、綴じ位置、両面印刷及び給紙用紙サイズの５つ
の項目からなり、その内容は、「ＣＭＹＫ」、「平綴じ」、「左」、「両面（Ｙ軸でフリ
ップ）」、および「Ａ４ポートレート」となる。
【００５３】
図９は、本発明の第１実施形態に係る印刷システムの処理動作を示すフローチャートで
ある。
この処理動作は、印刷装置に対して印刷を要求する処理であって、ＣＰＵにおいて起動
されると、まず、ステップＳ１０１において、印刷ジョブ仕様データ取得手段１１により
、印刷データから印刷ジョブ仕様データを取得する。印刷ジョブ仕様データは、例えば、
ネットワークを介して取得しても良いし、フラッシュメモリなどの外部記憶装置から読み
込むことにより取得しても良い。
【００５４】
次に、本発明の特徴とする処理が行われる。すなわち、まとめ印刷ステップＳ１０２に
おいて、まとめ印刷判定手段１２にて、まとめ印刷を実行するか否かを判定する。判定方
法は、各々の印刷ジョブ仕様データについて、まとめ印刷可能か否かのフラグすなわちま
とめ印刷用フラグを用いてまとめ印刷が可能か否かを判定し、判定結果は、その印刷ジョ
ブ仕様データの所定の場所に「可」又は「不可」と記述する。そして、まとめ印刷を実行
する場合は、ステップＳ１０３に移行し、固定印刷装置情報を取得する。さらに、指定グ
ループに対応した固定印刷設定を取得する。そして、ステップＳ１０４において、印刷ジ
ョブ仕様データに記述されている評価値を固定印刷設定に合わせて変更する。
【００５５】
次にステップＳ１０５〜ステップＳ１１３を経て、ステップＳ１１５にて、印刷を実行
する。一方、ステップＳ１０２においてまとめ印刷を行わないと判定された場合の処理に
ついては、すぐステップＳ１０５に移行し、ステップＳ１０５〜ステップＳ１１３と同様
の処理を行った後、ステップＳ１１４において、印刷ジョブ設定データに従い、印刷装置
を選択した後、ステップＳ１１５に移行して印刷を実行する。
【００５６】
以下に、共通している処理、ステップＳ１０５〜ステップＳ１１３について説明する。
ステップＳ１０５においては、利用可能な複数の印刷装置のそれぞれについて印刷装置
情報を取得する。印刷装置情報は、例えば、プリンタドライバに問い合わせることにより
取得しても良いし、予め接続されている印刷装置ごとに機器能力を記述した電子ファイル
を読み込むことにより取得しても良い。
【００５７】
次いで、ステップＳ１０６に移行して、取得した印刷ジョブ仕様データが満足する条件
の条件設定情報を検索し、索出した条件設定情報から印刷ジョブ設定データの候補を印刷
設定候補として取得する。この印刷設定候補は、条件設定条件に含まれる印刷設定の項目
を単位として取得した印刷設定のうち項目が重複しないもの同士を総当りで組み合わせる
ことにより構成する。
【００５８】
次いで、ステップＳ１０７に移行して、取得した各印刷設定候補ごとに、その印刷設定
候補が印刷仕様を実現する度合いを仕様評価値として算出する。具体的には条件設定情報
に含まれる印刷設定の項目を単位として、印刷設定候補のその項目の内容が、印刷仕様の
対応する項目の内容を完全に実現するか否かを条件設定情報の「使用満足の可否」の値に
基づいて判定し、完全に実現すると判定したときは、「１」を加算することにより算出す
る。例えば、印刷設定候補が、２つの条件設定情報から取得した印刷設定の組み合わせか
らなる場合は、第１の条件設定情報から取得した印刷設定の項目について、印刷設定候補
のその項目の内容が、印刷仕様の対応する項目の内容を実現するか否かを判定し、第２の
条件設定情報から取得した印刷設定の項目について、印刷設定候補のその項目の内容が、
印刷装置の対応する項目の内容を実現するか否かを判定する。完全に実現すると判定した
ときにそれぞれ「１」を加算するので、この場合、仕様評価値は、「０」〜「１」の値を
取り得る。
【００５９】
例えば、印刷設定候補１については、条件設定情報の「仕様満足の可否」の値によれば
、印刷仕様の項目のうちカラーの内容を完全に実現でき、印刷仕様の項目のうち綴じ種類
等の内容を完全に実現できるので、それぞれ「１」が加算される。その結果、仕様評価値
は「２」となる。
また、印刷設定候補２については、条件設定情報の「仕様満足の可否」の値によれば、
印刷仕様の項目のうちカラーの内容を完全に実現できるが、印刷仕様の項目のうち綴じ種
類等の内容を一部しか実現できないので、カラーについてのみ「１」が加算される。その
結果、仕様評価値は「１」となる。
【００６０】
次いで、ステップＳ１０８に移行して、取得した各印刷設定候補ごと及び各印刷装置情
報ごとに、その印刷装置情報の機器能力がその印刷設定候補を実現する度合いを装置評価
値として算出する。具体的には１組の印刷設定候補及び印刷装置情報について装置評価値
を算出する場合、印刷装置情報の各項目について取り得る全ての内容に対して印刷装置設
定候補の対応する各項目の内容を総当りで組み合わせ（以下、設定内容組み合わせという
）、各設定内容組み合わせの各項目ごとに、印刷装置情報の項目の内容と、印刷設定候補
の対応する各項目に内容が一致しているか否かを判定し、一致していると判定したときは
、「１」を加算することにより、装置評価値を算出する。印刷装置情報の項目が３つの場
合は、各項目ごとに内容が一致すると判定したときにそれぞれ「１」を加算するので、装
置評価値は、「０」〜「３」の値を取り得る。
【００６１】
次いでステップＳ１０９に移行して、取得した印刷設定候補の中から仕様評価値が最も
高い印刷設定を選択し、ステップＳ１０９に移行する。
ステップＳ１１０では、印刷設定候補及び印刷装置情報の設定内容組み合わせのうちス
テップＳ１０９で選択した印刷設定（選択印刷設定という）に対応するものの中から装置
評価値が最も高い設定内容組み合わせに係る印刷装置情報の印刷装置を印刷先として選択
する。１組の印刷設定候補および印刷装置情報については、内容を総当りで組み合わせる
ため、選択印刷設定に対応する印刷設定項目が１つ、印刷装置情報が１つしか存在しない
場合でも、対応する設定内容組み合わせは複数存在する場合がある。そこで、装置評価値
が最も高い設定内容組み合わせとしては、１つの設定内容組み合わせを選択するほか、例
えば、１組の印刷設定候補及び印刷装置情報に対応する１または複数の設定内容組み合わ
せを１つの設定内容セットとし、装置評価値の合計、平均値、最大値、最小値、中央値、
その他の統計値が最も高い設定内容セットを選択しても良い。
【００６２】
例えば、印刷設定候補１の項目のうち、印刷装置情報の項目に対応するのは、給紙用紙
サイズ、カラーおよび両面印刷である場合、印刷装置情報の各項目について取り得る全て
の内容に対して、印刷設定候補１の対応する各項目の内容を総当りで組み合わせると、印
刷装置情報の給紙用紙サイズの各内容に対しては印刷設定候補１の「Ａ３ランドスケープ
」が、印刷装置情報のカラーの各内容に対しては印刷設定候補１の「ＣＭＹＫ」が、印刷
装置情報の両面印刷の各内容に対しては印刷設定候補１の「両面（Ｙ軸でフリップ）」が
それぞれ対応する。
【００６３】
そして、各設定内容組み合わせごとに、給紙用紙サイズの内容が一致している場合、カ
ラーの内容が一致している場合、および両面印刷の内容が一致している場合は、それぞれ
「１」が加算され、各設定内容組み合わせの装置評価値が算出される。例えば、カラーお
よび両面印刷の内容が一致している場合は、装置評価値は１＋１＝２となる。
また、例えば、印刷設定候補２の項目のうち、印刷装置情報の項目に対応するのは、給
紙用紙サイズ、カラーおよび両面印刷である場合、印刷装置情報の各項目について取り得
る全ての内容に対して、印刷設定候補２の対応する各項目の内容を総当りで組み合わせる
と、印刷装置情報の給紙用紙サイズの各内容に対しては印刷設定候補２の「Ａ４ポートレ
ート」が、印刷装置情報のカラーの各内容に対しては印刷設定候補２の「ＣＭＹＫ」が、
印刷装置情報の両面印刷の各内容に対しては印刷設定候補２の「両面（Ｙ軸でフリップ）
」がそれぞれ対応する。
【００６４】
そして、各設定内容組み合わせごとに、給紙用紙サイズの内容が一致している場合、カ
ラーの内容が一致している場合、および両面印刷の内容が一致している場合は、それぞれ
「１」が加算され、各設定内容組み合わせの装置評価値が算出される。例えば、給紙用紙
サイズ、カラーおよび両面印刷の内容がいずれも一致している場合は、装置評価値は１＋
１＋１＝３となる。
【００６５】
このようにして、印刷設定候補の中から仕様評価値が最も高い印刷設定が選択される。
ここでは、印刷設定候補１の仕様評価値が最も高いので、印刷設定候補が１が選択される
。
そして、印刷設定候補および印刷装置情報の設定内容組み合わせのうち選択印刷設定に
対応するものの中から装置評価値が最も高い設定内容組み合わせが選択され、複数の印刷
装置のなかから、選択された設定内容組み合わせに係る印刷装置情報の印刷装置が印刷先
として選択される。そして、選択された設定内容組み合わせに係る印刷装置情報の印刷装
置、すなわちプリンタ１が選択される。
【００６６】
次いで、ステップＳ１１１に移行して、コンテンツデータ（文書データ）を取得し、ス
テップＳ１１２に移行して、選択印刷設定および条件設定情報において選択印刷設定と関
連付けられた加工方法にもとづいて、取得したコンテンツデータを加工し、ステップＳ１
１３に移行する。
なお、文書データは、印刷ジョブ仕様データの中で所在がＵＲＬなどの形式で記述され
ているため、記述された所在から文書データが取得される。
【００６７】
また、文書データの加工においては、前述したように印刷設定候補１が選択されている
ため、条件設定情報の綴じ種類が「中綴じ」、綴じ位置が「左」、両面印刷が「両面（Ｙ
軸でフリップ）」、給紙用紙サイズが「Ａ３ランドスケープ」と関連付けられた加工方法
「Ｆ４−１で２面付け」に従って文書データが加工される。
そして、選択印刷装置の印刷設定を含む印刷ジョブ設定データが生成される。上記の例
では、給紙用紙サイズが「Ａ３ランドスケープ」、カラーが「ＣＭＹＫ」、両面印刷が「
両面（Ｙ軸でフリップ）」、印刷先の指定が上記選択印刷装置となる印刷設定を含む印刷
ジョブ設定データが生成される。
【００６８】
ステップＳ１１３において、印刷ジョブ設定データを生成した後は、まとめ印刷を行う
場合は、すぐ印刷を実行し、まとめ印刷を行わない場合は、ステップＳ１１４において、
印刷ジョブ設定データに従い、印刷装置を選択した後、ステップＳ１１５にて、印刷を実
行する。
その際、選択印刷装置に対して、印刷ジョブ設定データに記述された印刷設定が自動で
行われた後、印刷ジョブ設定データに記述された文書データの印刷制御命令が発行される
。その結果、選択印刷装置から印刷仕様に適合した印刷物を得ることができる。
【００６９】
図１０は、推論変換方法を示す図である。
推論変換手段１４では、推論ルールの評価値を固定印刷設定に合わせて変更する。今、
中綴じで左とめであることから、これを満たさない印刷設定の仕様満足の可否欄（評価値
）を変更する。変更方法は推論ルールの実行節で綴じ種類が中綴じ、綴じ位置が左となっ
ていないものの評価値（仕様満足の可否）を×にする。上記推論ルールでは下記の箇所の
み変更となる。以下、推論方法を示す。
【００７０】
ａ）印刷設定候補を取得する。印刷候補は、上記実行部となる。
ｂ）仕様評価値を算出する。仕様評価は、○を１点、×を０点として点数をつける。そ
の結果、印刷設定は２点、印刷設定２は１点となるが、カラー設定が「○」であるために
、２点、１点となる。
ｃ）印刷装置の評価体を算出する。
【００７１】
以下、評価値の求め方について説明する。
図１１は、印刷装置情報の各項目について印刷装置ごとに取り得る内容の全ての組み合
わせを示す図である。
今、印刷装置は、固定印刷設定の印刷装置情報からプリンタ１が固定されている。その
ため、プリンタ１のみの印刷設定情報で評価を行う。
【００７２】
印刷装置情報の各項目について取り得る内容の全ての組み合わせは、プリンタ１につい
ては、給紙用紙サイズの内容が４通り、カラーの内容が２通り、両面印刷の内容が３通り
であるので、図１１に示すように、４×２×３＝２４通りとなる。また、プリンタ２につ
いては、給紙用紙サイズの内容が２通り、カラーの内容が２通り、両面印刷の内容が３通
りであるので、２×２×３＝１２通りとなる。
【００７３】
ｄ）仕様評価値、装置評価値に基づいて、印刷設定、印刷装置を選択する。
ｅ）文書データを取得し、加工する。
ｆ）印刷ジョブ設定データを生成する。
５）「印刷装置選択手段」では、実際に印刷を行うプリンタを探す。
６）「印刷実行手段」では、実際に印刷を実行する。
【００７４】
以上説明したように、本実施形態では、グループＩＤに基づいて固定印刷設定を取得す
るように構成したが、これに限定されず、グループＩＤのようなＩＤ情報に従わず、保存
されている固定印刷設定を無条件に取得してくるように構成しても良い。これにより、特
定の印刷装置の設定を固定してまとめ印刷の実行が可能となる。
また、本実施形態では、評価値として、「仕様満足の可否」を「○」「×」でのみ評価
する方法を示したが、これに限定されず、例えば１から１０までの数値評価値として表現
することもできる。
【００７５】
図１２は、仕様満足の可否を数値評価値で示した推論ルールを示す図である。
この推論ルールは、推論変換手段１４において、実行節が固定印刷設定を満たす場合は
、「プラス５」、満たさない場合は、無条件に「０」とする。例えば、同図に示すように
、５⇒１０に変換されているが、他の設定において「３」が設定されている場合は、「３
＋５＝８」となり、同じ綴じ種類、綴じ位置でも、その設定に差をつけた評価が可能とな
る。
【００７６】
また、本実施形態では、印刷装置評価については、特に明記しないが、印刷装置評価の
際、固定印刷設定の情報を加味して、評価対象の印刷装置設定を予めフィルタリングした
後、評価値を求めるように構成しても良い。この場合、上記実施形態では、綴じ種類が中
綴じ、綴じ位置が左であったため、特に、フィルタリングする場合はない。しかし、例え
ば、固定印刷が片面であった場合には、片面の印刷装置情報のみから印刷装置評価を行う
ように構成することにより、評価値算出時間を短縮させることが可能となる。
【００７７】
［第２実施形態］
第２実施形態は、時間指定によるまとめ印刷の実施形態である。
図１３は、本発明の第２実施形態に係る固定印刷設定保存手段において保存されるデー
タ構造の一例を示す図である。
固定印刷設定保存手段１３には、グループＩＤ、必須印刷条件、印刷装置名が保存され
ている。例えば、同図に示すように、印刷データＩＤとして、００１、００２、００３の
３種類について、それぞれ、グループＩＤ，必須印刷条件、印刷装置名、期間、印刷日な
どが設定されているとものとする。まず、印刷データＩＤ００１については、グループＩ
Ｄは「ＧｒｏｕｐＡ」、必須印刷条件として「綴じ種別、中綴じ、閉じ位置、左」、印刷
装置名として「プリンタ１」と、設定され、印刷データＩＤ００２については、グループ
ＩＤは「ＧｒｏｕｐＢ」、必須印刷条件として「カラー」、印刷装置名として「プリンタ
２」と設定され、印刷データＩＤ００３については、グループＩＤは「環境」、必須印刷
条件として「両面、用紙種別、再生紙」、印刷装置名として「プリンタ１」と設定されて
いる。
【００７８】
本実施形態では、特に、期間情報も合わせて保存されていることを特徴とする。例えば
、同図に示すように、印刷データＩＤ００１については「２００６／１２／１  ０：００
〜２００６／１２／２４  ２４：００」、印刷データＩＤ００２については「２００６／
１２／１１  １３：００〜１５：００」、印刷データＩＤ００３については「２００６／
１２／１  １３：００〜１５：００」と時間又は分まで設定できるようになっている。こ
の期間情報によって、ある特定の印刷装置をある期間は固定した設定のみの印刷を許可す
る場合に、利用できる。例えば、１冊の本を作成したいので、中綴じ、左とめで印刷させ
、指定時間後は、合わせて後処理を行うというように連携して動作させることもできる。
また、ある２時間のみ、環境を考慮して再生紙利用を促進するため、給紙用紙の種類を全
て再生紙にし、さらに、使用用紙の量を低減するために両面印刷にする、という動作も可
能となる。これにより、環境負荷の低減を容易に実現することができ、ひいては、資源削
減又は環境啓蒙活動の促進も可能となる。
【００７９】
本実施形態では、さらに、印刷日を設定するように構成することもできる。例えば、印
刷データＩＤ００１については「２００６／１２／２５  ８：００」、印刷データＩＤ０
０２については「２００６／１２／１１  １１５：００」、印刷データＩＤ００３につい
ては「２００６／１２／２  ８：００」と印刷日及び印刷時間まで設定している。この場
合、ある一定期間受け付けた印刷データに関して、変換後コンテンツデータと印刷ジョブ
設定データとを合わせてスプール手段１６により保存して、指定時刻に印刷制御によって
取り出した後、印刷を実行するように構成することもできる。
【００８０】
また、本実施形態では、「環境」というグループを設定している。「環境」というのは
、環境を考慮したグループＩＤであって、例えば、再生紙などを有効に利用させるなど、
環境に配慮した印刷ジョブ仕様データとすることにより、まとめ印刷のように大量に印刷
媒体を使用する場合でも環境負荷を低減することができ、さらには、その再生紙を使用し
た場合でも、他の種類の用紙を使用した場合でも、ＩＤ番号００３における「再生紙」を
適用すると、リサイクルも促進されることになる。
【００８１】
また、片面印刷を設定されている場合においても、まとめ印刷を行う場合には、「両面
」にして用紙を節約することにより廃棄物を少なくとすることができ、環境を考慮した印
刷を行うことができる。
さらに、カラーで設定されている場合においても、まとめ印刷を行う場合には、「モノ
クロ」にすれば、使用するインクの量を節約することができ、無駄な作業を増やすことな
く経済的で環境を考慮した印刷を行うことができる。
このように、本実施形態では、環境に考慮したＧｒｏｕｐＩＤが設定されることによっ
て、環境負荷を低減させ、リサイクルを促進することにより、膨大な量の印刷実行に対し
て環境負荷を抑制できるという効果がある。
【００８２】
図１４は、本発明の第２実施形態に係る印刷システムの処理動作を示すフローチャート
である。
前述した第１実施形態に係る印刷システムの処理の流れとは、「印刷ジョブ設定データ
を生成」した後の処理のみが異なるので、他の部分は概説のみにしてステップＳ２１４〜
ステップＳ２１７を中心にして説明する。
まず、ステップＳ２０１において、印刷ジョブ仕様データ取得手段１１により、印刷デ
ータから印刷ジョブ仕様データを取得する。
【００８３】
次に、第１実施形態と同様に、本発明の特徴とする処理が行われる。すなわち、まとめ
印刷ステップＳ２０２において、まとめ印刷判定手段１２にて、まとめ印刷を実行するか
否かを判定する。判定方法は、各々の印刷ジョブ仕様データについて、まとめ印刷可能か
否かのフラグすなわちまとめ印刷用フラグを用いてまとめ印刷が可能か否かを判定し、判
定結果は、その印刷ジョブ仕様データの所定の場所に「可」又は「不可」と記述する。
そして、まとめ印刷を実行する場合は、ステップＳ２０３に移行し、固定印刷装置情報
を取得する。さらに、指定グループに対応した固定印刷設定を取得する。そして、ステッ
プＳ２０４において、印刷ジョブ仕様データに記述されている評価値を固定印刷設定に合
わせて変更する。
【００８４】
ステップＳ２０５においては、利用可能な複数の印刷装置のそれぞれについて印刷装置
情報を取得する。次いで、ステップＳ２０６に移行して、取得した印刷ジョブ仕様データ
が満足する条件の条件設定情報を検索し、索出した条件設定情報から印刷ジョブ設定デー
タの候補を印刷設定候補として取得する。そして、ステップＳ２０７に移行して、取得し
た各印刷設定候補ごとに、その印刷設定候補が印刷仕様を実現する度合いを仕様評価値と
して算出する。次いで、ステップＳ２０８に移行して、取得した各印刷設定候補ごと及び
各印刷装置情報ごとに、その印刷装置情報の機器能力がその印刷設定候補を実現する度合
いを装置評価値として算出する。次いでステップＳ２０９に移行して、取得した印刷設定
候補の中から仕様評価値が最も高い印刷設定を選択し、ステップＳ２１０に移行する。ス
テップＳ２１０では、印刷設定候補及び印刷装置情報の設定内容組み合わせのうちステッ
プＳ２０９で選択した印刷設定（選択印刷設定という）に対応するものの中から装置評価
値が最も高い設定内容組み合わせに係る印刷装置情報の印刷装置を印刷先として選択する
。次いで、ステップＳ２１１に移行して、コンテンツデータ（文書データ）を取得し、ス
テップＳ２１２に移行して、選択印刷設定および条件設定情報において選択印刷設定と関
連付けられた加工方法にもとづいて、取得したコンテンツデータを加工し、ステップＳ２
１３に移行し、印刷ジョブ設定データを生成する。
【００８５】
そして、まとめ印刷を行う場合は、ステップＳ２１６において、生成した印刷ジョブ設
定データ、及びコンテンツデータを、印刷時刻になるまで、一時的にスプール手段１６に
よってスプールしておく。その後、印刷時刻になると、ステップＳ２１７において、印刷
制御手段１７にて、その印刷時刻に印刷を実行するよう指示する。
一方、ステップＳ２０２において、まとめ印刷を行わないと判定された場合は、ステッ
プ２０３及びステップ２０４は行わずに、ステップＳ２０５に移行し、ステップＳ２０５
〜ステップＳ２１３まで上述の処理を行った後、ステップＳ２１４に移行して、生成した
印刷ジョブ設定データに従い、印刷装置を選択し、その後、ステップＳ２１５において、
印刷を実行する。
【００８６】
［第３実施形態］
次に、本発明の第３実施形態について説明する。
図１５は、本発明の第３実施形態に係る印刷システムの処理動作を示すフローチャート
である。
前述した第２実施形態に係る印刷システムの処理の流れとは、ステップＳ２０４におい
て、評価値を変更する処理に対して、ステップＳ３０４において、印刷装置情報を取得す
る点で異なるので、他の部分は概説のみにしてステップＳ３０２〜ステップＳ３０５を中
心にして説明する。
【００８７】
まず、ステップＳ３０１において、印刷ジョブ仕様データ取得手段１１により、印刷デ
ータから印刷ジョブ仕様データを取得する。
次に、第２実施形態と同様に、本発明の特徴とする処理が行われる。すなわち、まとめ
印刷ステップＳ３０２において、まとめ印刷判定手段１２にて、まとめ印刷を実行するか
否かを判定する。判定方法は、各々の印刷ジョブ仕様データについて、まとめ印刷可能か
否かのフラグすなわちまとめ印刷用フラグを用いてまとめ印刷が可能か否かを判定し、判
定結果は、その印刷ジョブ仕様データの所定の場所に「可」又は「不可」と記述する。
【００８８】
そして、まとめ印刷を実行する場合は、ステップＳ３０３に移行し、固定印刷装置情報
を取得する。さらに、指定グループに対応した固定印刷設定を取得する。そして、ステッ
プＳ３０４において、利用可能な複数の印刷装置のそれぞれについて印刷装置情報を取得
する。但し、印刷装置情報を固定印刷設定に合わせて取得する、あるいはフィルタリング
する。
【００８９】
次いで、ステップＳ３０６に移行して、取得した印刷ジョブ仕様データが満足する条件
の条件設定情報を検索し、索出した条件設定情報から印刷ジョブ設定データの候補を印刷
設定候補として取得する。そして、ステップＳ３０７に移行して、取得した各印刷設定候
補ごとに、その印刷設定候補が印刷仕様を実現する度合いを仕様評価値として算出する。
次いで、ステップＳ３０８に移行して、取得した各印刷設定候補ごと及び各印刷装置情報
ごとに、その印刷装置情報の機器能力がその印刷設定候補を実現する度合いを装置評価値
として算出する。次いでステップＳ３０９に移行して、取得した印刷設定候補の中から仕
様評価値が最も高い印刷設定を選択し、ステップＳ３１０に移行する。ステップＳ３１０
では、印刷設定候補及び印刷装置情報の設定内容組み合わせのうちステップＳ３０９で選
択した印刷設定（選択印刷設定という）に対応するものの中から装置評価値が最も高い設
定内容組み合わせに係る印刷装置情報の印刷装置を印刷先として選択する。次いで、ステ
ップＳ３１１に移行して、コンテンツデータ（文書データ）を取得し、ステップＳ３１２
に移行して、選択印刷設定および条件設定情報において選択印刷設定と関連付けられた加
工方法にもとづいて、取得したコンテンツデータを加工し、ステップＳ３１３に移行し、
印刷ジョブ設定データを生成する。
【００９０】
そして、まとめ印刷を行う場合は、ステップＳ３１６において、生成した印刷ジョブ設
定データ、及びコンテンツデータを、印刷時刻になるまで、一時的にスプール手段１６に
よってスプールしておく。その後、印刷時刻になると、ステップＳ３１７において、印刷
制御手段１７にて、その印刷時刻に印刷を実行するよう指示する。
一方、ステップＳ３０２において、まとめ印刷を行わないと判定された場合は、ステッ
プ３０３及びステップ３０４は行わずに、ステップＳ３０５に移行した後、ステップＳ３
０６〜ステップＳ３１３まで上述の処理を行った後、ステップＳ３１４に移行して、生成
した印刷ジョブ設定データに従い、印刷装置を選択し、その後、ステップＳ３１５におい
て、印刷を実行する。
【００９１】
以上説明したように、本発明によれば、まとめ印刷が可能となり、給紙の入れ替えが不
要になり、この不要なときには電気を切断できるので節電できるという効果が得られる。
また、グループ機能によって、まとめ印刷に対応して、印刷モードの固定ができるとい
う効果が得られる。
また、再生紙の利用促進など環境負荷の低減が可能となるという効果が得られる。
【００９２】
なお、上記実施形態において、図９、１４、１５のフローチャートに示す処理を実行す
るにあたっては、ＲＯＭに予め格納されている制御プログラムを実行する場合について説
明したが、これに限らず、これらの手順を示したプログラムが記録された記憶媒体から、
そのプログラムをＲＡＭに組み込んで実行するようにしても良い。あるいは、そのプログ
ラムをネットワークから取得しても良い。
【００９３】
ここで、記憶媒体とは、ＲＡＭ、ＲＯＭ等の半導体記憶媒体、ＦＤ、ＨＤ等の磁気記憶
型記憶媒体、ＣＤ、ＣＤＶ、ＬＤ、ＤＶＤ等の光学的読取方式記憶媒体、ＭＯ等の磁気記
憶型／光学的読取方式記憶媒体であって、電子的、磁気的、光学的等の読み取り方法のい
かんにかかわらず、コンピュータで読み取り可能な記憶媒体であれば、あらゆる記憶媒体
を含むものである。
【００９４】
以上、本発明の実施形態について説明してきたが、本発明は、上記実施形態に限定され
ることなく、本発明の趣旨を逸脱することなく、種々の変更が可能である。
例えば、本実施形態では、各機能部は直接接続されるものとして説明したが、これに限
定されず、データの受け渡しは、ネットワークを介しても良いし、ＣＤ−ＲＯＭ、ＤＶＤ
−ＲＡＭ、ＵＳＢメモリのような外部記憶メディアを用いても良い。
【図面の簡単な説明】
【００９５】
【図１】本発明の第１実施形態に係る印刷システムの構成を示すブロック図である。
【図２】コンピュータシステムのハードウェア構成を示す機能ブロック図である。
【図３】印刷ジョブ仕様データの一例を示す図である。
【図４】印刷ジョブ仕様データ変換テーブルの一例を示す図である。
【図５】推論ルールの一例を示す図である。（ａ）は色、（ｂ）は面付けについての推論ルールである。
【図６】折り方の設定例を示す図である。
【図７】印刷ジョブ設定データの一例を示す図である。
【図８】印刷設定候補の一例を示す図である。
【図９】本発明の第１実施形態に係る印刷システムの処理動作を示すフローチャートである。
【図１０】推論変換方法を示す図である。
【図１１】印刷装置情報の各項目について印刷装置ごとに取り得る内容の全ての組み合わせを示す図である。
【図１２】仕様満足の可否を数値評価値で示した推論ルールを示す図である。
【図１３】固定印刷設定保存手段において保存されるデータ構造の一例を示す図である。
【図１４】本発明の第２実施形態に係る印刷システムの処理動作を示すフローチャートである。
【図１５】本発明の第３実施形態に係る印刷システムの処理動作を示すフローチャートである。
【符号の説明】
【００９６】
１…印刷システム、１１…印刷ジョブ仕様データ取得手段、１２…まとめ印刷判定手段、
１３…固定印刷設定取得手段、１４…推論変換手段、１５…推論手段、１６…スプール手
段、１７…印刷制御手段、１８…印刷実行手段、１９…印刷モード設定手段、２０…固定
印刷設定保存手段、２１…推論ルール
【図１】
2008210322.tif 000003
【図２】
2008210322.tif 000004
【図３】
2008210322.tif 000005
【図４】
2008210322.tif 000006
【図５】
2008210322.tif 000007
【図６】
2008210322.tif 000008
【図７】
2008210322.tif 000009
【図８】
2008210322.tif 000010
【図９】
2008210322.tif 000011
【図１０】
2008210322.tif 000012
【図１１】
2008210322.tif 000013
【図１２】
2008210322.tif 000014
【図１３】
2008210322.tif 000015
【図１４】
2008210322.tif 000016
【図１５】
2008210322.tif 000017